(57)【要約】      （修正有）【課題】他事業者の端末装置とネットワークを共有する場合でも、自事業者の端末装置のスループットの推定を行う。【解決手段】基地局装置と基地局装置と無線接続し通信を行う複数の端末装置と複数の端末装置の一部の管理対象端末を管理する管理装置とを有する無線通信システムに含まれる管理装置で、管理対象端末から基地局装置間のスループットを取得し、それに基づき管理対象端末が使用する第１の無線リソース量を算出する。第１の無線リソース量と基地局装置が提供することが可能な無線リソース量を示す基地局無線リソース量に基づいて、基地局装置と無線接続中である管理対象端末以外の管理対象外端末の使用する第２の無線リソース量を算出し、第１及び第２の無線リソース量から基地局装置と無線接続する管理対象端末が変化した場合の第１の無線リソース量を算出し、変化後の管理対象端末のスループットを推定する推定部を有する。【選択図】図４
2018098706.tif 000002
【特許請求の範囲】
【請求項１】
基地局装置と、前記基地局装置と無線接続し通信を行う複数の端末装置と、前記複数の端末装置の一部の管理対象端末を管理する管理装置とを有する無線通信システムに含まれる前記管理装置であって、
前記管理対象端末から、前記管理対象端末と無線接続する前記基地局装置との間のスループットを取得する取得部と、
取得した前記スループットに基づき、前記管理対象端末が使用する第１の無線リソース量を算出し、
算出した前記第１の無線リソース量と、前記基地局装置が前記複数の端末装置に提供することが可能な無線リソース量を示す基地局無線リソース量に基づいて、前記基地局装置と無線接続中である、前記管理対象端末以外の管理対象外端末の使用する第２の無線リソース量を算出し、
算出した前記第１及び第２の無線リソース量に基づき、前記基地局装置と無線接続する管理対象端末が変化した場合の、前記変化後の前記第１の無線リソース量を算出し、
算出した前記変化後の前記第１の無線リソース量に基づいて、前記変化後の管理対象端末のスループットを推定する推定部を有する
管理装置。
【請求項２】
前記無線リソース量は、所定時間及び所定周波数帯域幅を有するリソースブロックであり、
前記基地局装置は、前記基地局装置に無線接続する複数の端末装置に、均等に前記リソースブロックを提供する
請求項１記載の管理装置。
【請求項３】
前記取得部は、さらに、前記端末装置に提供される無線リソース量に対する前記端末装置のスループットの割合を示す通信レートを取得し、
前記推定部は、
取得した前記スループットと前記通信レートに基づき、前記第１の無線リソース量を算出し、
前記変化後の前記第１の無線リソース量と前記通信レートに基づき、前記変化後の管理対象端末のスループットを算出する
請求項２記載の管理装置。
【請求項４】
前記推定部は、前記第２の無線リソース量に基づき、前記基地局装置に無線接続中の前記管理対象外端末の台数を算出し、算出した前記管理対象外端末の台数と、前記変化後の前記基地局装置に無線接続する管理対象端末の台数とに基づいて、前記変化後の前記第１の無線リソース量を算出する
請求項３記載の管理装置。
【請求項５】
前記無線リソース量は、前記基地局装置が前記複数の端末装置それぞれにパケットを送信する時間であり、
前記基地局無線リソース量は、前記基地局装置が無線接続する端末装置それぞれに１つのパケットを送信する時間の合計時間である
請求項１記載の管理装置。
【請求項６】
前記推定部は、
前記第２の無線リソース量の算出において、前記管理対象端末それぞれのスループットと前記パケットに含まれるデータ量に基づき、前記基地局無線リソース量を算出し、
前記変化後の前記第１の無線リソース量に基づいて、前記変化後の前記基地局無線リソース量を算出し、算出した前記変化後の前記基地局無線リソース量に基づき、前記変化後の管理対象端末のスループットを推定する
請求項５記載の管理装置。
【請求項７】
さらに、取得した前記スループットを記憶する記憶部と、
記憶する前記スループットに基づき、前記基地局無線リソース量を算出する基地局無線リソース算出部とを有する
請求項１記載の管理装置。
【請求項８】
前記基地局無線リソース算出部は、第１時間に取得した第１スループットと、前記第１時間より前の第２時間に取得した第２スループットに基づき、前記基地局無線リソース量を算出する
請求項７記載の管理装置。
【請求項９】
基地局装置と、
前記基地局装置と無線接続し通信を行う複数の端末装置と、
前記複数の端末装置の一部の管理対象端末を管理する管理装置とを有する無線通信システムであって、
前記管理対象端末は、前記管理装置に前記管理対象端末と無線接続する前記基地局装置との間のスループットを前記管理装置に通知し、
前記管理装置は、
前記管理対象端末から、前記スループットを取得し、
取得した前記スループットに基づき、前記管理対象端末が使用する第１の無線リソース量を算出し、
算出した第１の無線リソース量と、前記基地局装置が前記複数の端末装置に提供することが可能な無線リソース量を示す基地局無線リソース量に基づいて、前記基地局装置と無線接続中である、前記管理対象端末以外の管理対象外端末の使用する第２の無線リソース量を算出し、
算出した前記第１及び第２の無線リソース量に基づき、前記基地局装置と無線接続する管理対象端末が変化した場合の、前記変化後の前記第１の無線リソース量を算出し、
算出した前記変化後の第１の無線リソース量に基づいて、前記変化後の管理対象端末のスループットを推定する
無線通信システム。
【請求項１０】
基地局装置と、前記基地局装置と無線接続し通信を行う複数の端末装置と、前記複数の端末装置の一部の管理対象端末を管理する管理装置とを有する無線通信システムに含まれる前記管理装置のスループット推定プログラムであって、
前記管理対象端末から、前記管理対象端末と無線接続する前記基地局装置との間のスループットを取得し、
取得した前記スループットに基づき、前記管理対象端末が使用する第１の無線リソース量を算出し、
算出した前記第１の無線リソース量と、前記基地局装置が前記複数の端末装置に提供することが可能な無線リソース量を示す基地局無線リソース量に基づいて、前記基地局装置と無線接続中である、前記管理対象端末以外の管理対象外端末の使用する第２の無線リソース量を算出し、
算出した前記第１及び第２の無線リソース量に基づき、前記基地局装置と無線接続する管理対象端末が変化した場合の、前記変化後の前記第１の無線リソース量を算出し、
算出した前記変化後の前記第１の無線リソース量に基づいて、前記変化後の管理対象端末のスループットを推定する処理を
前記管理装置の有するコンピュータに実行させるスループット推定プログラム。
【発明の詳細な説明】
【技術分野】
【０００１】
本発明は、管理装置、無線通信システム、及びスループット推定プログラムに関する。
【背景技術】
【０００２】
近年、仮想移動体通信事業者（MVNO：Mobile Virtual Network Operator）という移動体通信の事業者が注目されている。ＭＶＮＯは、ネットワークを所有している他の事業者（MNO：Mobile Network Operator）よりネットワークを借り受け、自社ブランドで利用者にネットワークを利用した移動体通信サービスを提供する。
【０００３】
また、ＭＶＮＯは、例えば、複数のＭＮＯから通信回線を借り受けて、使用している場合がある。ＭＶＮＯは、例えば、ＬＴＥ（Long Term evolution）に準じたネットワークと、ＷＬＡＮ（Wireless Local Area Network）に準じたネットワークの２つのネットワークを使用する。ＭＶＮＯは、ＭＶＮＯの利用者が遅延なく無線通信を行えるように、各利用者が各ネットワークに接続した場合のスループットを推定し、全体として最適なスループットになるように、利用者の端末装置とネットワークの組み合わせを制御する。
【０００４】
スループットの推定に関する技術は、以下の特許文献１に記載されている。
【先行技術文献】
【特許文献】
【０００５】
【特許文献１】特開２００６−００５７６８号公報
【発明の概要】
【発明が解決しようとする課題】
【０００６】
しかし、ＭＶＮＯが使用しているネットワークを、他事業者のＭＶＮＯが共有して使用している場合がある。この場合、自事業者のＭＶＮＯの端末装置のスループットは、他事業者のＭＶＮＯの端末装置のネットワーク使用度合に応じて変化する。しかし、自事業者のＭＶＮＯは、他事業者のＭＶＮＯの端末装置の使用リソース量やスループットなどを取得するこができないため、自事業者のＭＶＮＯの端末装置のスループットを高精度に推定することができない。
【０００７】
そこで、一開示は、他事業者の端末装置とネットワークを共有する場合でも、自事業者の端末装置のスループットの推定を行うことができる管理装置、無線通信システム、及びスループット推定プログラムを提供することにある。
【課題を解決するための手段】
【０００８】
１つの側面では、基地局装置と、前記基地局装置と無線接続し通信を行う複数の端末装置と、前記複数の端末装置の一部の管理対象端末を管理する管理装置とを有する無線通信システムに含まれる前記管理装置であって、前記管理対象端末から、前記管理対象端末と無線接続する前記基地局装置との間のスループットを取得する取得部と、取得した前記スループットに基づき、前記管理対象端末が使用する第１の無線リソース量を算出し、算出した前記第１の無線リソース量と、前記基地局装置が前記複数の端末装置に提供することが可能な無線リソース量を示す基地局無線リソース量に基づいて、前記基地局装置と無線接続中である、前記管理対象端末以外の管理対象外端末の使用する第２の無線リソース量を算出し、算出した前記第１及び第２の無線リソース量に基づき、前記基地局装置と無線接続する管理対象端末が変化した場合の、前記変化後の前記第１の無線リソース量を算出し、算出した前記変化後の前記第１の無線リソース量に基づいて、前記変化後の管理対象端末のスループットを推定する推定部を有する。
【発明の効果】
【０００９】
一開示は、他事業者の端末装置とネットワークを共有する場合でも、自事業者の端末装置のスループットの推定を行うことができる。
【図面の簡単な説明】
【００１０】
【図１】図１は、無線通信システム１０の構成例を示す図である。
【図２】図２は、管理装置３００の構成例を示す図である。
【図３】図３は、管理対象端末１００の構成例を示す図である。
【図４】図４は、管理装置３００におけるスループット推定処理の処理フローチャートの例を示す図である。
【図５】図５は、端末情報テーブル３２３の例を示す図である。
【図６】図６は、基地局情報テーブル３２４の例を示す図である。
【図７】図７は、管理装置３００による管理対象端末１００−１〜３それぞれのスループットの推定結果の例を示す図である。
【図８】図８は、管理装置３００におけるスループット推定処理の処理フローチャートの例を示す図である。
【図９】図９は、端末情報テーブル３２３の例を示す図である。
【図１０】図１０は、管理装置３００による管理対象端末１００−１〜３それぞれのスループットの推定結果の例を示す図である。
【図１１】図１１は、管理装置３００の構成例を示す図である
【図１２】図１２は、図１における管理対象端末１００−３が基地局装置２００−１に無線接続する前後の端末情報の例を示す図である。
【発明を実施するための形態】
【００１１】
[第１の実施の形態]
第１の実施の形態について説明する。第１の実施の形態の無線通信システムは、管理装置、基地局装置、及び複数の端末装置を有する。端末装置は、基地局装置と無線接続し、通信を行う。
【００１２】
管理装置は、複数の端末装置の一部の管理対象端末を管理する。
【００１３】
管理装置は、管理対象端末から、管理対象端末と無線接続する基地局装置との間のスループットを取得する。
【００１４】
管理装置は、取得したスループットに基づき、管理対象端末が使用する第１の無線リソース量を算出する。そして、管理装置は、算出した第１の無線リソース量と、基地局装置が複数の端末装置に提供することが可能な無線リソース量を示す基地局無線リソース量に基づいて、基地局装置と無線接続中である管理対象端末以外の管理対象外端末の使用する第２の無線リソース量を算出する。さらに、管理装置は、算出した第１及び第２の無線リソース量に基づいて、基地局装置と無線接続する管理対象端末が変化した場合の、変化後の第１の無線リソース量を算出する。そして、管理装置は、算出した変化後の第１の無線リソース量に基づいて、変化後の管理対象端末のスループットを推定する。
【００１５】
＜無線通信システムの構成例＞
図１は、無線通信システム１０の構成例を示す図である。無線通信システム１０は、管理対象端末１００−１〜３、管理対象外端末１０１−１，２、基地局装置２００−１，２、及び管理装置３００を有する。無線通信システム１０は、例えば、ＬＴＥなどの通信規格に準拠した無線通信システムである。
【００１６】
管理対象端末１００−１〜３（以降、管理対象端末１００と呼ぶ場合がある）、及び管理対象外端末１０１−１，２（以降、管理対象外端末１０１と呼ぶ場合がある）は、例えば、スマートフォンやタブレット端末などの移動体通信装置である。管理対象端末１００及び管理対象外端末１０１は、例えば、基地局装置２００−１，２と無線接続する。管理対象端末１００及び管理対象外端末１０１は、基地局装置２００−１，２を介して他の通信装置とデータを含むパケットを送受信することで、他の通信装置と通信を行う。
【００１７】
管理対象端末１００は、管理装置３００の管理対象の端末装置である。管理対象端末１００は、例えば、管理装置３００を運用する事業者（ＭＶＮＯ）と契約した利用者が使用する端末装置である。管理対象端末１００は、例えば、無線接続する基地局装置２００−１，２を介して、管理装置３００と通信を行う。管理対象端末１００は、例えば、管理対象端末１００のスループットや通信性能などの端末情報を、管理装置３００に送信する。
【００１８】
管理対象外端末１０１は、管理装置３００の管理対象外の端末装置である。管理対象外端末１０１は、例えば、管理装置３００を運用する事業者（ＭＶＮＯ）と契約していない利用者が使用する端末装置である。管理装置３００は、管理対象外端末１０１の端末情報を取得しない。
【００１９】
基地局装置２００−１，２(以降、基地局装置２００と呼ぶ場合がある)は、端末装置と無線接続し、端末装置の行う通信を中継する。基地局装置２００−１，２は、それぞれ通信エリアＡ２００−１、Ａ２００−２を有する。通信エリアは、基地局装置２００−１，２それぞれが、管理対象端末１００及び管理対象外端末１０１と無線接続することができる範囲である。基地局装置２００は、例えば、ＬＴＥに準拠した通信システムにおけるｅＮｏｄｅＢである。
【００２０】
管理装置３００は、管理対象端末１００を管理する装置であり、例えば、サーバマシンである。管理装置３００は、定期的又は不定期に、管理対象端末１００から端末情報を取得し、内部メモリに記憶する。管理装置３００は、取得した端末情報に基づいて、管理対象端末１００の基地局装置２００に対する接続状況が変化した場合の管理対象端末１００のスループットを推定する。接続状況とは、基地局装置２００と無線接続している管理対象端末１００の台数、トラヒック量（例えば、管理対象端末の使用する、あるいは要求するスループット）、及び無線リソース量あたりのスループットの変化などを示す。管理対象端末１００の基地局装置２００に対する接続状況が変化した場合とは、例えば、基地局装置２００と無線接続中の管理対象端末１００が無線切断する場合や、基地局装置２００と無線接続中ではない管理対象端末１００が、あらたに無線接続する場合などである。すなわち、管理対象端末１００が無線接続する基地局装置２００が変化した場合とは、例えば、基地局装置２００と無線接続する管理対象端末１００の数が増減する場合である。
【００２１】
図１において、管理対象端末１００−１，２は、基地局装置２００−１と無線接続中である。また、管理対象外端末１０１−１，２は、基地局装置２００−１と無線接続中である。そして、通信エリアＡ２００−１内に位置する管理対象端末１００−３が、新たに基地局装置２００−１と無線接続する。管理装置３００は、管理装置３００は、基地局装置２００−１に無線接続する管理対象端末１００が、管理対象端末１００−１，２に加え、新たに管理対象端末１００−３となった場合について、管理対象端末１００−１〜３それぞれのスループットを推定する。管理装置３００の実行する処理の例を以下に説明する。なお、以下の説明において、無線リソース量は、例えば、管理対象端末１００及び管理対象外端末１０１が使用する（あるいは基地局装置２００から提供される）、単位時間あたりの通信帯域幅である。単位時間あたりの通信帯域幅は、例えば、ＬＴＥにおけるリソースブロック（RB：Resource Block）である。リソースブロックは、例えば、所定時間と所定通信帯域幅を有する。
【００２２】
管理装置３００は、管理対象端末１００−１，２から、無線接続する基地局装置２００−１との間のスループットを取得する。
【００２３】
管理装置３００は、取得したスループットに基づき、管理対象端末１００−１，２それぞれが使用する無線リソース量（第１の無線リソース量）を算出する。
【００２４】
そして、管理装置３００は、算出した管理対象端末１００−１，２の無線リソース量と、基地局装置２００−１が管理対象端末及び管理対象外端末（以降、管理対象端末と管理対象外端末を区別せずに、端末装置と呼ぶ場合がある）に提供することが可能な無線リソース量（基地局無線リソース量）に基づき、管理対象外端末１０１が使用する無線リソース量（第２の無線リソース量）を算出する。  
【００２５】
そして、管理装置３００は、管理対象端末１００及び管理対象外端末１０１それぞれの無線リソース量に基づいて、管理対象端末１００−３が新たに無線接続した場合の、管理対象端末１００−１〜３の使用する無線リソースを算出する。そして、管理装置３００は、算出した無線リソースに基づいて、管理対象端末１００−１〜３のスループットを推定する。
【００２６】
＜管理装置の構成例＞
図２は、管理装置３００の構成例を示す図である。管理装置３００は、ＣＰＵ（Central Processing Unit）３１０、ストレージ３２０、ＤＲＡＭ（Dynamic Random Access Memory）などのメモリ３３０、及びＮＩＣ（Network Interface Card）３４０を有する。
【００２７】
ストレージ３２０は、プログラムやデータを記憶する、フラッシュメモリ、ＨＤＤ（Hard Disk Drive）、又はＳＳＤ（Solid State Drive）などの補助記憶装置である。ストレージ３２０は、端末情報取得プログラム３２１、スループット推定プログラム３２２、端末情報テーブル３２３、及び基地局情報テーブル３２４を記憶する。
【００２８】
端末情報テーブル３２３は、管理対象端末１００の識別子と、管理対象端末１００の端末情報を、対応づけて記憶するテーブルである。端末情報は、例えば、無線接続中の基地局装置２００の識別子、無線接続可能な基地局装置２００の識別子、スループット、通信レート、使用リソース量などを含む。
【００２９】
スループットは、管理対象端末１００のスループットであり、例えば、管理対象端末１００が測定する。スループットの単位は、例えば、Ｍｂｐｓ（Mega bit per second）である。
【００３０】
通信レートは、例えば、無線リソースあたりのスループットである。通信レートは、例えばＬＴＥの場合、１ＲＢあたりのスループットであり、例えば、管理対象端末１００が基地局装置２００から受信する電波の受信電力や干渉度合いの応じて決まる数値である。また、通信レートは、無線リソース量に対するスループットの割合である。さらに、通信レートは、例えば、実測した無線誤り率や、ＷＬＡＮにおけるバックオフ時間などのオーバヘッドを考慮した実効的な通信レートであってもよい。
【００３１】
使用リソース量は、管理対象端末１００が使用する（あるいは提供される）無線リソース量である。使用リソース量は、ＬＴＥの場合、ＲＢの数である。なお、端末情報テーブル３２３の詳細については、後述するスループット推定処理において説明する。
【００３２】
基地局情報テーブル３２４は、基地局装置２００の識別子と基地局装置２００が提供可能な無線リソース量を対応づける基地局情報を記憶するテーブルである。管理装置３００は、例えば、管理装置３００の管理者の操作によって、基地局装置２００の無線リソース量を記憶する。また、管理装置３００は、例えば、基地局装置２００や、基地局装置２００の無線リソース量を管理するサーバマシンなどから、基地局装置２００の無線リソースを取得し、記憶してもよい。なお、基地局情報テーブル３２４の詳細については、後述するスループット推定処理において説明する。
【００３３】
メモリ３３０は、ストレージ３２０に記憶されているプログラムをロードする領域である。また、メモリ３３０は、プログラムがデータを記憶する領域としても使用される。
【００３４】
ＮＩＣ３４０は、基地局装置２００や外部ネットワークと接続するネットワークインターフェースである。管理装置３００は、ＮＩＣ３４０介して、管理対象端末１００とパケットの送受信を行うことで、管理対象端末１００と通信を行う。
【００３５】
ＣＰＵ３１０は、端末情報取得プログラム３２１を実行することで、取得部を構築し、端末情報取得処理を行う。端末情報取得処理は、管理対象端末１００の端末情報を取得する処理である。管理装置３００は、端末情報取得処理において、管理対象端末１００から端末情報を受信する。
【００３６】
ＣＰＵ３１０は、スループット推定プログラム３２２を実行することで、推定部を構築し、スループット推定処理を行う。スループット推定処理は、管理対象端末１００の基地局装置２００に対する接続状態が変化した後の、基地局装置２００に無線接続する管理対象端末１００のスループットを推定する処理である。スループット推定処理は、後述する管理対象端末リソース算出処理、管理対象外端末リソース算出処理、及び管理対象端末スループット算出処理を含む。
【００３７】
ＣＰＵ３１０は、管理対象端末リソース算出モジュール３２２１を実行することで、管理対象端末リソース算出処理を行う。管理対象端末リソース算出処理は、基地局装置２００に無線接続中の管理対象端末１００の使用する無線リソースの合計値を算出する処理である。
【００３８】
ＣＰＵ３１０は、管理対象外端末リソース算出モジュール３２２２を実行することで、管理対象外端末リソース算出処理を行う。管理対象外端末リソース算出処理は、基地局装置２００に無線接続中の管理対象外端末１０１の使用する無線リソースの合計値を算出する処理である。
【００３９】
ＣＰＵ３１０は、管理対象端末スループット算出モジュール３２２３を実行することで、管理対象端末スループット算出処理を行う。管理対象端末スループット算出処理は、基地局装置２００に無線接続中の管理対象端末１００の使用する無線リソースの合計値を算出する処理である。管理装置３００は、管理対象端末スループット算出処理において、基地局装置２００に無線接続中の管理対象外端末１０１の台数を算出する。次に、管理装置３００は、管理対象端末スループット算出処理において、基地局装置２００に無線接続中の管理対象外端末１０１の台数と、無線接続する管理対象端末１００の台数の合計値より、管理対象端末１００に提供される無線リソース量を算出する。そして、管理装置３００は、管理対象端末スループット算出処理において、算出して無線リソース量に基づき、管理対象端末１００のスループットを算出し、算出したスループットを接続状況変化後の管理対象端末１００のスループットと推定する。
【００４０】
なお、管理装置３００の有する処理及びテーブルは、基地局装置２００が有してもよい。無線通信システム１０が複数の基地局装置２００を有する場合、複数の基地局装置２００のうち１つの基地局装置２００が、前記管理装置３００の有する処理及びテーブルを有してもよい。また、無線通信システム１０が、複数の基地局装置２００を制御する制御装置（例えば、LTEにおけるMME：Mobility Management Entity）を有する場合、制御装置が管理装置３００の有する処理及びテーブルを有してもよい。
【００４１】
＜管理対象端末の構成例＞
図３は、管理対象端末１００の構成例を示す図である。管理対象端末１００は、ＣＰＵ１１０、ストレージ１２０、ＤＲＡＭなどのメモリ１３０、及びＲＦ（Radio Frequency）回路１５０を有する。
【００４２】
ストレージ１２０は、プログラムやデータを記憶する、フラッシュメモリ、ＨＤＤ、又はＳＳＤなどの補助記憶装置である。ストレージ１２０は、通信プログラム１２１及び端末情報送信プログラム１２２を記憶する。
【００４３】
メモリ１３０は、ストレージ１２０に記憶されているプログラムをロードする領域である。また、メモリ１３０は、プログラムがデータを記憶する領域としても使用される。
【００４４】
ＲＦ回路１５０は、基地局装置２００と無線接続する装置である。ＲＦ回路１５０は、例えば、アンテナを有し、無線接続する基地局装置２００と電波を送受信することで、他の通信装置と通信を行う。
【００４５】
ＣＰＵ１１０は、通信プログラム１２１を実行することで、通信処理を行う。通信処理は、基地局装置２００を介して、通信相手の通信装置と通信を行う処理である。管理対象端末１００は、通信処理において、例えば、基地局装置２００を介して、通信相手の通信装置にパケットを送信する。また、管理対象端末１００は、通信処理において、例えば、基地局装置２００を介して、通信相手の通信装置からパケットを受信する。
【００４６】
また、ＣＰＵ１１０は、端末情報送信プログラム１２２を実行することで、端末情報送信処理を行う。端末情報送信処理は、スループットの測定や、通信レートの算出を行い、端末情報として管理装置３００に送信（又は通知）する処理である。端末情報送信処理は、後述するスループット測定処理及び通信レート算出処理を含む。
【００４７】
ＣＰＵ２１０は、スループット測定モジュール１２２１を実行することで、スループット測定処理を行う。スループット測定処理は、管理対象端末１００と無線接続する基地局装置２００との間のスループットを測定する処理である。
【００４８】
ＣＰＵ２１０は、通信レート算出モジュール１２２２を実行することで、通信レート測定処理を行う。通信レート算出処理は、基地局装置２００から受信する電波の受信電力や干渉度合いを測定し、測定結果に応じた通信レートを算出する処理である。管理対象端末１００は、通信レート算出処理において、例えば、ＲＳＲＱ（Reference Signal Received Quality）の測定を行う。
【００４９】
＜スループット推定処理＞
図４は、管理装置３００におけるスループット推定処理の処理フローチャートの例を示す図である。管理装置３００は、スループット推定処理を実行する契機が発生すると、スループット推定処理を実行する。スループット推定処理を実行する契機は、例えば、新たな管理対象端末１００が基地局装置２００に無線接続しようとしていることを検出したときなど、管理対象端末１００の接続状況が変化する可能性を検出したときである。管理装置３００は、管理対象端末１００の接続状況が変化する前に、接続状況変化後のスループットを推定する。なお、本実施例におけるスループット推定処理を実行する契機は、図１における管理対象端末１００−３が基地局装置２００−１に無線接続すること（又は無線接続しようとしたこと）を検出した場合を例として、以下に図４の処理フローチャートを説明する。
【００５０】
管理装置３００は、スループット推定処理Ｓ１００において、スループット推定対象の基地局装置２００−１に無線接続中の管理対象端末１００の使用する無線リソース量を示す、使用リソース量を算出する（Ｓ１０１）。管理装置３００は、使用リソース量を、端末情報テーブル３２３に基づき算出する。
【００５１】
図５は、端末情報テーブル３２３の例を示す図である。図５は、例えば、管理装置３００がスループット推定処理を実行する時点における、端末情報テーブル３２３の例である。端末情報テーブル３２３は、管理対象端末１００−１〜３の端末情報を記憶する。
【００５２】
管理装置３００は、例えば、接続中基地局装置、接続可能基地局装置、スループット、及び通信レートを、管理対象端末１００−１〜３から取得する。そして、管理装置３００は、管理対象端末１００の使用リソース量を算出し、端末情報テーブルに記憶する。各管理対象端末１００の使用リソース量は、以下の式（１）に基づいて算出する。
【００５３】
ＴＰｉ＝ＲＳｉ×ＲＴｉ  ・・・式（１）
ＴＰｉは、端末装置ｉのスループットである。ＲＳｉは、端末装置ｉの使用リソース量である。ＲＴｉは、端末装置ｉの通信レートである。管理装置３００は、管理対象端末１００−１，２のスループット、通信レート、及び式（１）に基づき、使用リソース量を算出する。管理装置３００は、管理対象端末１００−１及び１００−２の使用リソース量を、それぞれ２．５（２．５／１．０）及び２．５（５．０／２．０）と算出する。
【００５４】
図４の処理フローチャートに戻り、管理装置３００は、基地局装置２００−１に無線接続中の管理対象外端末１０１の使用リソース量を算出する（Ｓ１０２）。管理装置３００は、管理対象端末１００の使用リソース量と、基地局装置２００−１の割当可能な無線リソース量（以下、割当可能リソース量と呼ぶ場合がある）に基づき、管理対象外端末１０１の使用リソース量を算出する。
【００５５】
図６は、基地局情報テーブル３２４の例を示す図である。図６によると、基地局装置２００−１の割当可能リソース量は、１０．０である。
【００５６】
管理装置３００は、以下の式（２）に基づいて、管理対象外端末１０１の使用リソース量を算出する。
【００５７】
ＲＳｂａ＝ΣＲＳｉ  ・・・式（２）
ＲＳｂａは、基地局装置２００の割当可能リソース量である。ΣＲＳｉは、基地局装置２００に無線接続する端末装置ｉの使用リソース量の総和を示す。  式（２）は、基地局装置２００に無線接続する端末装置ｉの使用リソースの合計は、基地局装置２００の割当可能リソース量となることを示す式である。すなわち、管理装置３００は、基地局装置２００は、割当可能リソース量の全てを、接続する端末装置に割り当てることを前提とし、管理対象外端末１０１の使用リソースを算出する。
【００５８】
管理装置３００は、基地局装置２００−１の割当可能リソース量（１０．０）から管理対象端末１００−１，２の使用リソース量の合計（２．５＋２．５＝５．０）を減じた数値（１０．０−５．０＝５．０）を、管理対象外端末１０１の使用リソース量として算出する。
【００５９】
図４の処理フローチャートに戻り、管理装置３００は、算出した管理対象外端末１０１のリソース量に基づき、基地局装置２００−１に接続中の管理対象外端末１０１の台数を算出する（Ｓ１０３）。管理装置３００は、以下の式（３）に基づいて、管理対象外端末１０１の台数を算出する。
【００６０】
ＲＳｉ＝ＲＳｉ＋１  ・・・式（３）
ＲＳｉ＋１は、端末装置ｉ＋１の使用リソース量である。すなわち、式（３）は、基地局装置２００に接続する全ての端末装置ｉの使用リソース量は同一であることを示す式である。管理装置３００は、管理対象端末１００−１の使用リソース量が２．５であることから、管理対象外端末１０１の１台あたりの使用リソース量も２．５であるとみなす。そして、管理装置３００は、管理対象外端末１０１の使用リソース量（５．０）を、１台あたりの使用リソース量（２．５）で除した数値（２台）を、管理対象外端末１０１の台数と算出する。
【００６１】
図４の処理フローチャートに戻り、管理装置３００は、接続状況変化後の管理対象端末１００、及び管理対象外端末１０１の接続台数に基づき、管理対象端末１００のスループットを推定する（Ｓ１０３）。管理装置３００は、管理対象端末１００のスループットの推定において、接続状況変化後の管理対象端末１００のそれぞれの使用リソースを算出する。
【００６２】
管理装置３００は、管理対象端末１００のそれぞれの使用リソースの算出において、式（２）及び式（３）を使用する。そして、管理装置３００は、管理対象外端末１０１の接続台数は変化しないことを前提として、管理対象端末１００のそれぞれの使用リソースを算出する。
【００６３】
管理装置３００は、式（２）及び式（３）より、基地局装置２００−１の割当可能リソース量（１０．０）が、管理対象端末１００−１〜３の３台と管理対象外端末２台の合計５台の端末装置に均等に提供され、各端末装置の使用リソース量は２．０（＝１０．０÷５）と算出する。
【００６４】
そして、管理装置３００は、式（１）に基づき、管理対象端末１００−１〜３それぞれのスループットを推定する。
【００６５】
図７は、管理装置３００による管理対象端末１００−１〜３それぞれのスループットの推定結果の例を示す図である。管理対象端末１００−１は、使用リソース量が２．０、推定レートが１．０であるので、スループットは２．０（２．０×１．０）Ｍｂｐｓとなる。管理対象端末１００−２は、使用リソース量が２．０、推定レートが２．０であるので、スループットは４．０（２．０×２．０）Ｍｂｐｓとなる。管理対象端末１００−３は、使用リソース量が２．０、推定レートが１．０であるので、スループットは２．０（２．０×１．０）Ｍｂｐｓとなる。
【００６６】
なお、第１の実施の形態は、端末装置毎の要求するトラフィック量（例えば、端末装置が通信に使用する、あるいは要求するスループット）が異なる場合ではなく、全ての端末装置が最大のトラフィック量を要求する場合の例である。例えば、管理対象端末１００の要求するトラフィック量が異なる場合、管理装置３００は、管理対象端末１００の要求するトラフィック量に応じたリソース量を算出し、算出したリソース量に基づき、スループットを推定してもよい。また、端末装置の要求するトラフィック量が異なる場合、管理装置３００が算出した管理対象外端末１０１の台数は、管理対象外端末１００が最大のトラフィック量を要求したと仮定した場合の疑似的な台数であり、実際に無線接続している台数と異なる場合もある。
【００６７】
また、管理装置３００は、無線接続はしているがほとんど通信を行っていない管理対象端末装置１００を、接続状況変化後の管理対象端末１００の台数としてカウントしないようにすることで、スループットの推定精度は向上する。
【００６８】
第１の実施の形態では、管理装置３００は、管理対象端末１００のスループットから使用リソース量を算出する。そして、管理装置３００は、管理対象端末１００の使用リソースに基づき、管理対象外端末１０１の使用リソース量を算出する。さらに、管理装置３００は、管理対象外端末１０１の使用リソースから、無線接続する管理対象外端末１０１の接続台数を算出する。管理装置３００は、管理対象外端末１０１の接続台数を算出することで、管理対象端末１００を基地局装置２００に接続したときの使用リソースを算出することができ、スループットを推定することができる。これにより、管理装置３００は、管理対象外の複数の端末装置と同じネットワークを共有して使用する場合でも、管理対象端末１００の接続状況が変化する場合のスループットを推定することができる。
【００６９】
[第２の実施の形態]
第２の実施の形態では、無線通信システム１０は、ＷＬＡＮに準拠する通信システムである。
【００７０】
＜通信システムの構成例＞
図１を用いて無線通信システム１０の構成を説明する。なお、第１の実施の形態と同等の装置についての説明は省略する。
【００７１】
無線通信システム１０は、例えば、ＷＬＡＮに準拠した通信システムである。基地局装置２００は、例えば、ＷＬＡＮに準拠した通信システムにおけるアクセスポイントである。
【００７２】
第１の実施の形態と同様に、管理対象端末１００−３があらたに基地局装置２００−１に無線接続する場合の管理対象端末１００−１〜３のスループットを推定する処理の例について説明する。なお、以下の説明において、無線リソース量は、例えば、基地局装置２００が、管理対象端末１００及び管理対象外端末１０１に所定量のデータ（例えば、パケット）を送信する時間である。
【００７３】
管理装置３００は、管理対象端末１００−１，２から、無線接続する基地局装置２００−１との間のスループットを取得する。
【００７４】
管理装置３００は、取得したスループットに基づき、管理対象端末１００−１，２それぞれが使用する無線リソース量（第１の無線リソース量）を算出する。
【００７５】
管理装置３００は、算出した無線リソース量と、基地局装置２００−１が管理対象端末及び管理対象外端末に提供することが可能な無線リソース量（例えば、基地局装置２００−１が無線接続する全ての端末装置に１パケットを送信する合計時間）に基づき、管理対象外端末１０１が使用する無線リソース量（第２の無線リソース量）を算出する。  
【００７６】
そして、管理装置３００は、管理対象端末１００及び管理対象外端末１０１それぞれの無線リソース量に基づいて、管理対象端末１００−３が新たに無線接続した場合の、管理対象端末１００−１〜３の使用する無線リソースを算出する。そして、管理装置３００は、算出した無線リソースに基づいて、管理対象端末１００−１〜３のスループットを推定する。
【００７７】
＜スループット推定処理＞
図８は、管理装置３００におけるスループット推定処理の処理フローチャートの例を示す図である。管理装置３００は、スループット推定処理を実行する契機が発生すると、スループット推定処理を実行する。本実施例におけるスループット推定処理を実行する契機は、図１における管理対象端末１００−３が基地局装置２００−１に無線接続することを検出した場合を例として、以下に図８の処理フローチャートを説明する。
【００７８】
管理装置３００は、スループット推定処理Ｓ２００において、スループット推定対象の基地局装置２００−１に無線接続中の管理対象端末１００のデータ送信時間を算出する（Ｓ２０１）。管理装置３００は、データ送信時間を、端末情報テーブル３２３に基づき算出する。
【００７９】
図９は、端末情報テーブル３２３の例を示す図である。図９は、例えば、管理装置３００がスループット推定処理を実行する時点における、端末情報テーブル３２３の例である。
【００８０】
管理装置３００は、例えば、接続中基地局装置、接続可能基地局装置、スループット、通信レート、及びパケットサイズ（パケットに含まれるデータ量）を管理対象端末１００−１〜３から取得する。なお、第２の実施の形態における通信レートは、基地局装置２００の管理対象端末１００−１〜３に対するデータ送信時間である。データ送信時間は、例えば、基地局装置２００が管理対象端末１００に１つのパケットを送信するパケット送信時間である。また、パケットサイズは管理対象端末１００から取得せず、基地局装置２００から取得してもよい。
【００８１】
また、データ送信時間は、端末装置が基地局装置２００から受信する電波強度によって決まる。データ送信時間は、管理対象端末１００が算出してもよいし、管理装置３００が管理対象端末１００から電波強度を受信し、受信した電波強度に基づいて算出してもよい。
【００８２】
管理装置３００は、図９により、管理対象端末１００のデータ送信時間を２０．０（５．０＋１５．０）ｍｓｅｃと算出する。
【００８３】
図８の処理フローチャートに戻り、管理装置３００は、基地局装置２００−１の全体のデータ送信時間を算出する（Ｓ２０２）。基地局装置２００−１の全体のデータ送信時間は、無線接続中の全端末装置が１パケット送信する時間の合計時間である。第２の実施の形態では、全ての端末装置が途切れずに通信を行うことを前提とする。この前提により、単位時間あたりのパケット送信数は、全端末装置で同数と想定することができる。
【００８４】
管理装置３００は、以下の式（４）に基づき、全体のデータ送信時間を算出する。
【００８５】
ＴＰｉ＝ＰＳｉ÷Ｔall  ・・・式（４）
ＰＳｉは、端末装置ｉのパケットサイズである。Ｔallは、基地局装置２００の全体のデータ送信時間である。すなわち、式（４）は、全端末装置ｉのパケットサイズが同じ場合、全端末装置が同じスループットになることを示す式である。管理装置３００は、管理対象端末１００−１のスループット（２．０Ｍｂｐｓ）とパケットサイズ（８００００ｂｉｔ）より、全体のデータ送信時間は４０ｍｓｅｃと算出する。
【００８６】
図８の処理フローチャートに戻り、管理装置３００は、算出した全体のデータ送信時間に基づき、管理対象外端末１０１のデータ送信時間を算出する（Ｓ２０３）。全体のデータ送信時間は、管理対象端末１００のデータ送信時間と、管理対象外端末１０１のデータ送信時間の合計値であるため、管理対象外端末１０１のデータ送信時間は、２０．０（４０−２０．０）ｍｓｅｃと算出される。
【００８７】
そして、管理装置３００は、管理対象外端末１０１のデータ送信時間と、接続状況変化後の管理対象端末１００のデータ送信時間に基づき、管理対象端末１００のスループットを推定する（Ｓ２０４）。
【００８８】
管理装置３００は、接続状況変化後の基地局装置２００−１の全体のデータ送信時間を算出する。このとき、管理装置３００は、管理対象外端末１０１の接続状況は変化しない前提とする。管理装置３００は、新たに接続する管理対象端末１００−３のデータ送信時間を加算し、全体のデータ送信時間を６０（４０＋２０．０）ｍｓｅｃと算出する。
【００８９】
そして、管理装置３００は、式（４）に基づき、管理対象端末１００のスループットを推定する。
【００９０】
図１０は、管理装置３００による管理対象端末１００−１〜３それぞれのスループットの推定結果の例を示す図である。管理装置３００は、管理対象端末１００−１〜３のパケットサイズ（８００００ｂｉｔ）を全体のデータ送信時間（６０．０ｍｓｅｃ）で除した数値（１．３Ｍｂｐｓ）を、管理対象端末１００−１〜３のスループットと推定する。
【００９１】
第２の実施の形態では、管理装置３００は、管理対象端末１００のスループットとデータ送信時間から、基地局装置２００の全体のデータ送信時間を算出する。そして、管理装置３００は、算出した全体のデータ送信時間に、新たに接続する管理対象端末１００のデータ送信時間を加算することで、接続状況変化後の全体のデータ送信時間を算出する。管理装置３００は、全体のデータ送信時間とデータサイズ（パケットサイズ）に基づき、管理対象端末１００のスループットを推定することができる。これにより、管理装置３００は、無線通信システム１０がＬＴＥに準拠する場合と同様に、管理対象外の複数の端末装置と同じネットワークを共有して使用する場合でも、管理対象の端末装置が増減した場合のスループットを推定することができる。
【００９２】
[第３の実施の形態]
第３の実施の形態では、無線通信システム１０がＬＴＥに準拠する場合であって、管理装置３００は、基地局装置２００の割当可能リソース量（基地局無線リソース量）の算出を行う。
【００９３】
＜管理装置の構成例＞
図１１は、管理装置３００の構成例を示す図である。ストレージ３２０は、さらに、基地局リソース算出プログラム３２５を記憶する。
【００９４】
ＣＰＵ３１０は、基地局リソース算出プログラム３２５を実行することで、基地局無線リソース算出部を構築し、基地局リソース算出処理を行う。基地局リソース算出処理は、基地局装置２００の割当可能リソース量を算出する処理である。基地局装置２００は、例えば、通信ネットワークを提供する事業者によって管理されている。そのため、通信ネットワーク事業者と管理装置３００の事業者が異なる場合、管理装置３００は、あらかじめ基地局装置２００の割当可能リソース量を取得することができない場合がある。この場合、管理装置３００は、基地局リソース算出処理を行い、基地局装置２００の割当可能リソース量を算出する。
【００９５】
また、ＣＰＵ３１０は、端末情報取得プログラム３２１を実行することで、さらに記憶部を構築し、端末情報記憶処理を行う。端末情報記憶処理は、端末情報テーブル３２３に記憶する処理である。端末情報テーブル３２３は、過去所定回数分の取得した端末情報を記憶する。
【００９６】
＜基地局リソース算出処理＞
管理装置３００は、第１の実施の形態において示した式（１）〜式（３）に基づいて、基地局装置２００の割当可能リソース量を算出する。管理装置３００は、例えば、図１における管理対象端末１００−３が基地局装置２００−１に無線接続する前後の端末情報から、基地局装置２００−１の割当可能リソース量を算出する。
【００９７】
図１２は、図１における管理対象端末１００−３が基地局装置２００−１に無線接続する前後の端末情報の例を示す図である。図１２（Ａ）は無線接続前、図１２（Ｂ）は無線接続後の端末情報の例を示す図である。
【００９８】
管理装置３００は、式（１）に基づき、図１２（Ａ）及び図１２（Ｂ）における、管理対象端末１００の使用リソース量を算出する。算出した結果、無線接続前は管理対象端末の台数が２台で、それぞれの使用リソース量は２．５である。また、無線接続後は管理対象端末の台数が３台で、それぞれの使用リソース量は２．０である。  
【００９９】
管理装置３００は、式（３）により、管理対象外端末１０１それぞれの使用リソース量と管理対象端末１００それぞれの使用リソース量は同じであるとみなす。そして、管理装置３００は、無線接続前後の管理対象端末１００の使用リソースと、管理対象外端末１０１の台数（Ｘ台）を、式（３）に代入する。
【０１００】
無線接続前は、管理対象端末１００−１，２の使用リソース量の合計は５．０（２．５＋２．５）である。そして、管理対象外端末１０１の１台あたりの使用リソース量は、管理対象端末１００の１台あたりの使用リソース量と同じであるため、管理対象外端末１０１の使用リソース量の合計は、２．５Ｘとなる。管理対象端末１００と管理対象外端末１０１の使用リソース量の合計が、基地局装置２００−１の割当可能リソース量となる（式（３）より）。よって、それぞれの使用リソース量を式（３）に代入すると、以下の代入式（３−１）となる。
【０１０１】
ＲＳｂａ＝５．０＋２．５Ｘ  ・・・代入式（３−１）
無線接続後は、管理対象端末１００−１〜３の使用リソース量の合計は６．０（２．０＋２．０＋２．０）である。そして、管理対象外端末１０１の使用リソース量の合計は、２．０Ｘとなる。それぞれの使用リソース量を式（３）に代入すると、以下の代入式（３−２）となる。
【０１０２】
ＲＳｂａ＝６．０＋２．０Ｘ  ・・・代入式（３−２）
管理装置３００は、代入式（３−１），（３−２）より、Ｘ＝２、ＲＳｂａ＝１０．０を算出することができる。すなわち、管理装置３００は、基地局装置２００−１の割当可能リソース量を、１０．０と算出する。
【０１０３】
第３の実施の形態では、管理装置３００は、接続状況が異なるタイミングでの端末情報を複数取得することで、基地局装置２００の割当可能リソース量を算出することができる。これにより、管理装置３００は、基地局装置２００の割当可能リソース量をあらかじめ記憶していない場合でも、接続状況変化後の管理対象端末１００のスループットを推定することができる。
【０１０４】
なお、管理装置３００は、基地局装置２００の割当可能リソース量の算出を、例えば、新たな端末情報を取得したときに実行する。これにより、管理装置３００は最新の端末情報を用いて基地局装置２００の割当可能リソース量を算出することができる。
【０１０５】
また、基地局装置２００の割当可能リソース量は、例えば、基地局装置２００の管理者によって、無線通信システム１０の運用中に変更される場合がある。管理装置３００は、基地局装置２００の割当可能リソース量が変更されたことを監視するため、前回算出時に算出した割当可能リソース量をメモリに記憶しておき、今回算出した割当可能リソース量と比較する。そして、管理装置３００は、前回と今回の割当可能リソース量が所定値以上かい離している場合、割当可能リソース量の変更が行われたと判定する。この場合、管理装置３００は、例えば、次に端末情報を取得するのを待って、割当可能リソース量を算出し、管理対象端末１００のスループットを推定する。また、この場合、管理装置３００は、前回算出時に算出した割当可能リソース量と、今回算出した割当可能リソース量との平均値を、基地局装置２００の割当可能リソース量としてもよい。
【０１０６】
以上、第１〜第３の実施の形態を含む実施形態に関し、更に以下の付記を開示する。
【０１０７】
（付記１）
基地局装置と、前記基地局装置と無線接続し通信を行う複数の端末装置と、前記複数の端末装置の一部の管理対象端末を管理する管理装置とを有する無線通信システムに含まれる前記管理装置であって、
前記管理対象端末から、前記管理対象端末と無線接続する前記基地局装置との間のスループットを取得する取得部と、
取得した前記スループットに基づき、前記管理対象端末が使用する第１の無線リソース量を算出し、
算出した前記第１の無線リソース量と、前記基地局装置が前記複数の端末装置に提供することが可能な無線リソース量を示す基地局無線リソース量に基づいて、前記基地局装置と無線接続中である、前記管理対象端末以外の管理対象外端末の使用する第２の無線リソース量を算出し、
算出した前記第１及び第２の無線リソース量に基づき、前記基地局装置と無線接続する管理対象端末が変化した場合の、前記変化後の前記第１の無線リソース量を算出し、
算出した前記変化後の前記第１の無線リソース量に基づいて、前記変化後の管理対象端末のスループットを推定する推定部を有する
管理装置。
【０１０８】
（付記２)
前記無線リソース量は、所定時間及び所定周波数帯域幅を有するリソースブロックであり、
前記基地局装置は、前記基地局装置に無線接続する複数の端末装置に、均等に前記リソースブロックを提供する
付記１記載の管理装置。
【０１０９】
（付記３）
前記取得部は、さらに、前記端末装置に提供される無線リソース量に対する前記端末装置のスループットの割合を示す通信レートを取得し、
前記推定部は、
取得した前記スループットと前記通信レートに基づき、前記第１の無線リソース量を算出し、
前記変化後の前記第１の無線リソース量と前記通信レートに基づき、前記変化後の管理対象端末のスループットを算出する
付記２記載の管理装置。
【０１１０】
（付記４）
前記推定部は、前記第２の無線リソース量に基づき、前記基地局装置に無線接続中の前記管理対象外端末の台数を算出し、算出した前記管理対象外端末の台数と、前記変化後の前記基地局装置に無線接続する管理対象端末の台数とに基づいて、前記変化後の前記第１の無線リソース量を算出する
付記３記載の管理装置。
【０１１１】
（付記５）
前記無線リソース量は、前記基地局装置が前記複数の端末装置それぞれにパケットを送信する時間であり、
前記基地局無線リソース量は、前記基地局装置が無線接続する端末装置それぞれに１つのパケットを送信する時間の合計時間である
付記１記載の管理装置。
【０１１２】
（付記６）
前記推定部は、
前記第２の無線リソース量の算出において、前記管理対象端末それぞれのスループットと前記パケットに含まれるデータ量に基づき、前記基地局無線リソース量を算出し、
前記変化後の前記第１の無線リソース量に基づいて、前記変化後の前記基地局無線リソース量を算出し、算出した前記変化後の前記基地局無線リソース量に基づき、前記変化後の管理対象端末のスループットを推定する
付記５記載の管理装置。
【０１１３】
（付記７）
さらに、取得した前記スループットを記憶する記憶部と、
記憶する前記スループットに基づき、前記基地局無線リソース量を算出する基地局無線リソース算出部とを有する
付記１記載の管理装置。
【０１１４】
（付記８）
前記基地局無線リソース算出部は、第１時間に取得した第１スループットと、前記第１時間より前の第２時間に取得した第２スループットに基づき、前記基地局無線リソース量を算出する
付記７記載の管理装置。
【０１１５】
（付記９）
前記基地局無線リソース算出部は、前記第１スループットの取得したとき、前記基地局無線リソース量を算出する
付記８記載の管理装置。
【０１１６】
（付記１０）
前記基地局無線リソース算出部は、
第１時間に取得した第１スループットと、前記第１時間より前の第２時間に取得した第２スループットに基づき、第１の基地局無線リソース量を算出し、
前記第２スループットと、前記第２時間より前の第３時間取得した第３スループットに基づき、第２の基地局無線リソースを算出し、
前記第１の基地局無線リソース量と前記第２の基地局無線リソース量の差が所定値以上であった場合、前記第１及び第２の基地局無線リソース量とは異なる第３の基地局無線リソース量を、前記基地局無線リソース量とする
付記７記載の管理装置。
【０１１７】
（付記１１）
前記第３の基地局無線リソース量は、前記第１及び第２の基地局無線リソース量の平均値である
付記１０記載の管理装置。
【０１１８】
（付記１２）
基地局装置と、
前記基地局装置と無線接続し通信を行う複数の端末装置と、
前記複数の端末装置の一部の管理対象端末を管理する管理装置とを有する無線通信システムであって、
前記管理対象端末は、前記管理装置に前記管理対象端末と無線接続する前記基地局装置との間のスループットを前記管理装置に通知し、
前記管理装置は、
前記管理対象端末から、前記スループットを取得し、
取得した前記スループットに基づき、前記管理対象端末が使用する第１の無線リソース量を算出し、
算出した第１の無線リソース量と、前記基地局装置が前記複数の端末装置に提供することが可能な無線リソース量を示す基地局無線リソース量に基づいて、前記基地局装置と無線接続中である、前記管理対象端末以外の管理対象外端末の使用する第２の無線リソース量を算出し、
算出した前記第１及び第２の無線リソース量に基づき、前記基地局装置と無線接続する管理対象端末が変化した場合の、前記変化後の前記第１の無線リソース量を算出し、
算出した前記変化後の第１の無線リソース量に基づいて、前記変化後の管理対象端末のスループットを推定する
無線通信システム。
【０１１９】
（付記１３）
基地局装置と、前記基地局装置と無線接続し通信を行う複数の端末装置と、前記複数の端末装置の一部の管理対象端末を管理する管理装置とを有する無線通信システムに含まれる前記管理装置のスループット推定プログラムであって、
前記管理対象端末から、前記管理対象端末と無線接続する前記基地局装置との間のスループットを取得し、
取得した前記スループットに基づき、前記管理対象端末が使用する第１の無線リソース量を算出し、
算出した前記第１の無線リソース量と、前記基地局装置が前記複数の端末装置に提供することが可能な無線リソース量を示す基地局無線リソース量に基づいて、前記基地局装置と無線接続中である、前記管理対象端末以外の管理対象外端末の使用する第２の無線リソース量を算出し、
算出した前記第１及び第２の無線リソース量に基づき、前記基地局装置と無線接続する管理対象端末が変化した場合の、前記変化後の前記第１の無線リソース量を算出し、
算出した前記変化後の前記第１の無線リソース量に基づいて、前記変化後の管理対象端末のスループットを推定する処理を
前記管理装置の有するコンピュータに実行させるスループット推定プログラム。
【符号の説明】
【０１２０】
１０…無線通信システム                    １００…管理対象端末
１０１…管理対象外端末                    １１０…ＣＰＵ
１２０…ストレージ                        １２１…通信プログラム
１２２…端末情報送信プログラム            １２２１…スループット測定モジュール
１２２２…通信レート算出モジュール        １３０…メモリ
１５０…ＲＦ回路                          ２００…基地局装置
２１０…ＣＰＵ                            ３００…管理装置
３１０…ＣＰＵ                            ３２０…ストレージ
３２１…端末情報取得プログラム            ３２２…スループット推定プログラム
３２２１…管理対象端末リソース算出モジュール
３２２２…管理対象外端末リソース算出モジュール
３２２３…管理対象端末スループット算出モジュール
３２３…端末情報テーブル                  ３２４…基地局情報テーブル
３２５…基地局リソース算出プログラム      ３３０…メモリ
３４０…ＮＩＣ
【図１】
2018098706.tif 000003
【図２】
2018098706.tif 000004
【図３】
2018098706.tif 000005
【図４】
2018098706.tif 000006
【図５】
2018098706.tif 000007
【図６】
2018098706.tif 000008
【図７】
2018098706.tif 000009
【図８】
2018098706.tif 000010
【図９】
2018098706.tif 000011
【図１０】
2018098706.tif 000012
【図１１】
2018098706.tif 000013
【図１２】
2018098706.tif 000014